(57)【特許請求の範囲】
【請求項１】
情報を表示する表示装置本体と、被取付部に取り外し可能に係止される前記表示装置本体から背面に向かって凸に設けられた取付部と、を備え、前記取付部が、前記被取付部の孔内に挿入される取付部本体と、前記取付部本体の挿入方向奥側の端部が前記取付部本体に支持され、前記挿入方向手前側の端部が前記孔の内周面に接離する方向に弾性変形自在に設けられた弾性アームと、前記弾性アームから凸に設けられた前記被取付部に係止する係止突起と、が設けられた表示装置において、
前記孔と前記弾性アームの係止突起から離れた側との間に圧入されて、前記弾性アームの弾性変形を規制する規制部材をさらに備えたことを特徴とする表示装置。
【請求項２】
前記規制部材が、前記挿入方向奥側に向かうに従って幅の狭くなるように設けられていることを特徴とする請求項１に記載の表示装置。
【請求項３】
請求項１又は２に記載の表示装置と、
前記表示装置の正面を覆うクラスターパネルをさらに備え、
前記クラスターパネルの背面に前記規制部材が突設されていることを特徴とする表示ユニット。
【発明の詳細な説明】
【技術分野】
【０００１】
本発明は、表示装置及び表示ユニットに係り、被取付部に取り外し可能に係止される表示装置及び表示ユニットに関するものである。
【背景技術】
【０００２】
自動車等の移動体には、各種の計測手段が計測した移動体の状況を移動体の乗員に対して表示する表示装置が搭載されている。このような表示装置として、例えば、図６及び図７に示されたメータユニットが提案されている（例えば特許文献１）。
【０００３】
同図に示すように、メータ１００は、各種情報を表示する表示装置本体としてのメータ本体１０１と、被取付部としてのインストルメントパネル（以下インパネと略記する）２００に取り外し可能に形成されるメータ本体１０１の背面に突設された取付部としての爪部１０２と、を備えている。上記メータ本体１０１には、例えばタコメータ、スピードメータ、テンパラチャゲージやフューエルゲージなどが設けられている。
【０００４】
上記爪部１０２は、図７に示すように、インパネ２００に設けられた孔２０１内に挿入される爪本体１０３と、爪本体１０３の挿入方向Ｙ１の奥側の端部が爪本体１０３に支持され、挿入方向Ｙ１の手前側の端部が孔２０１の内周面に接離する方向に弾性変形自在に設けられた弾性アーム１０４と、弾性アーム１０４から凸に設けられた孔２０１に係止する係止突起１０５と、が設けられている。
【０００５】
上述した構成のメータ１００によれば、爪部１０２をインパネ２００の孔２０１に挿入するだけで、弾性アーム１０４に設けた係止突起１０５がインパネ２００の背面に係止して、簡単にインパネ２００に取り付けることができる。また、弾性アーム１０４の挿入方向Ｙ１手前側の端部を孔２０１の内周面から離れる方向（図７中の上方向）に撓ませると、係止突起１０５とインパネ２００との係止が解除されて、メータ１００を簡単にインパネ２００から取り外すことができる。
【先行技術文献】
【特許文献】
【０００６】
【特許文献１】特開２００９−２５８０４９号公報
【発明の概要】
【発明が解決しようとする課題】
【０００７】
しかしながら、上述したメータ１００は、弾性アーム１０４を撓ませるだけで簡単にメータ１００をインパネ２００から取り外すことができる構成となっているため、例えばメンテナンス時などにメータ１００を取り外す目的以外に不意に弾性アーム１０４に触れてしまった場合にもメータ１００がインパネ２００から外れてしまう、という問題点があった。
【０００８】
また、係止突起１０５とインパネ２００との係止を解除するために、孔２０１と弾性アーム１０４の係止突起１０５から離れた側との間に隙間Ｓが設けられている。このように隙間Ｓがあるため、メータ１００がガタつき、異音が発生する恐れがある、という問題点があった。
【０００９】
そこで、本発明は、メータ外れ防止及び異音防止を図った表示装置及び表示ユニットを提供することを課題とする。
【課題を解決するための手段】
【００１０】
上述した課題を解決するための請求項１記載の発明は、情報を表示する表示装置本体と、被取付部に取り外し可能に係止される前記表示装置本体から背面に向かって凸に設けられた取付部と、を備え、前記取付部が、前記被取付部の孔内に挿入される取付部本体と、前記取付部本体の挿入方向奥側の端部が前記取付部本体に支持され、前記挿入方向手前側の端部が前記孔の内周面に接離する方向に弾性変形自在に設けられた弾性アームと、前記弾性アームから凸に設けられた前記被取付部に係止する係止突起と、が設けられた表示装置において、前記孔と前記弾性アームの係止突起から離れた側との間に圧入されて、前記弾性アームの弾性変形を規制する規制部材をさらに備えたことを特徴とする表示装置に存する。
【００１１】
請求項２記載の発明は、前記規制部材が、前記挿入方向奥側に向かうに従って幅の狭くなるように設けられていることを特徴とする請求項１に記載の表示装置に存する。
【００１２】
請求項３記載の発明は、請求項１又は２に記載の表示装置と、前記表示装置の正面を覆うクラスターパネルをさらに備え、前記クラスターパネルの背面に前記規制部材が突設されていることを特徴とする表示ユニットに存する。
【発明の効果】
【００１３】
以上説明したように請求項１記載の発明によれば、規制部材が、孔と弾性アームの係止突起から離れた側との間に圧入されて、弾性アームの弾性変形を規制する。従って、規制部材を抜かないと弾性アームが弾性変形して撓まないため、メータ外れを防止することができる。しかも、規制部材によって孔と弾性アームの係止突起から離れた側との間が塞がれるため、メータのガタつきを防止して異音を防ぐことができる。
【００１４】
請求項２記載の発明によれば、規制部材が、挿入方向奥側に向かうに従って幅の狭くなる楔形状に設けられているので、挿入がし易くなると共により一層、確実にメータの外れ及び異音を防止することができる。
【００１５】
請求項３記載の発明によれば、クラスターパネルの背面に規制部材が突設されているので、クラスターパネルをメータ本体に取り付ける際に規制部材を挿入することができ、取付作業が簡素化できる。
【図面の簡単な説明】
【００１６】
【図１】本発明の一実施形態にかかる表示装置を組み込んだメータユニットと、このメータユニットが取り付けられるインパネと、を示す分解斜視図である。
【図２】図１に示すメータユニットをインパネに取り付けた状態を示す部分断面図である。
【図３】（Ａ）は図１に示す爪部の上面図であり、（Ｂ）は（Ａ）に示す爪部の側面図であり、（Ｃ）は（Ａ）に示す爪部の下面図であり、（Ｄ）は（Ａ）のＡ−Ａ線断面図であり、（Ｅ）は、（Ａ）に示す爪部の斜視図である。
【図４】（Ａ）は図１に示すクラスターパネルを構成する楔部の上面図であり、（Ｂ）は（Ａ）に示す楔部の側面図であり、（Ｃ）は（Ａ）に示す楔部の斜視図である。
【図５】図１に示すメータユニットの取り付け手順を説明するための説明図である。
【図６】従来の表示装置としてのメータと、このメータが取り付けられるインパネと、を示す分解斜視図である。
【図７】図６に示すメータをインパネに取り付けた状態を示す部分断面図である。
【発明を実施するための形態】
【００１７】
以下、本発明の一実施形態にかかる表示装置としてのメータを図１〜図４を参照して説明する。本発明の一実施形態にかかる表示装置を組み込んだ表示ユニットとしてのメータユニット１は、車両用コンビネーションメータである。メータユニット１は、自動車等の移動体に搭載されて、移動体の乗員に対して移動体の状況などの情報を表示する。本実施形態において、メータユニット１は、被取付部としてのインパネ３に取り付けられて、取り外し可能に係止される。
【００１８】
上記インパネ３は、合成樹脂等で構成されていて、自動車の車体等に固定される。インパネ３は、図１に示すように、後述するメータユニット１の背面を覆う壁部３１と、互いの間に後述するメータユニット１の左右方向を挟む壁部３１から立設した一対の左右壁部３２と、後述するメータ１１の鉛直下側を支持する壁部３１から立設した下壁部３３と、を備えている。
【００１９】
上述した壁部３１の正面には、上下に２つずつ計４つの孔３４が設けられている。これら４つの孔３４は、メータユニット１の正面から背面に向かう方向に沿って貫通して設けられている。また、上側の２つの孔３４は互いに左右方向に沿って並べられていて、壁部３１から正面に向かって凸に設けられた一対の左右側壁３２に連なる凸部３５上に設けられている。
【００２０】
下側の２つの孔３４も互いに左右方向に沿って並べられていて、互いの間に下壁部３３を位置付けている。また、上側の２つの孔３４のうち左側と下側の２つの孔のうち左側とは、上下方向に沿って並べられている。上側の２つの孔３４のうち右側と下側の２つの孔３４のうち右側とも、上下方向に沿って並べられている。これら４つの孔３４に後述するメータ１１の取付部としての爪部１４が挿入されると、メータ１１をインパネ３に取り付けることができる。
【００２１】
上述した構成のインパネ３に取り付けられるメータユニット１は、表示装置としてのメータ１１と、メータ１１の正面を覆う見返しとしてのクラスターパネル１２と、を備えている。まず、メータ１１の構成について説明する。上記メータ１１は、表示装置本体としてのメータ本体１３と、インパネ３に取り外し可能に形成されるメータ本体１３から背面に向かって凸に設けられた４つの取付部としての爪部１４と、を備えている。上記メータ本体１３は、図示しない表示計器と、ケース１５と、透明カバー１６などを備えている。図示しない表示計器としては、例えばタコメータ、スピードメータ、テンパラチャゲージやフェーエルゲージなどが考えられる。
【００２２】
上記ケース１５は、硬質の合成樹脂等で構成されていて、上記表示計器を収容する。また、上記ケース１５は、正面に開口が設けられた略受皿状に設けられていて、その鉛直上側の側壁と鉛直下側の側壁にはそれぞれ、ケース１５の外方向に突出し、後述する爪部１４を支持するための台座１７が２つずつ設けられている。
【００２３】
上記透明カバー１６は、透明性を有した合成樹脂等で構成されている。透明カバー１６は、ケース１５の正面開口を塞ぐようにケース１５に取り付けられていて、メータ本体１３内に埃などが侵入するのを防止する。
【００２４】
上記４つの爪部１４は、合成樹脂等で構成されていて、ケース１５に設けられた台座１７にそれぞれ支持されている。爪部１４には、図２及び図３に示すように、インパネ３に設けられた孔３４内に挿入される取付部本体としての爪本体１８と、爪本体１８に支持された弾性アーム１９と、弾性アーム１９から凸に設けられた孔３４に係止する係止突起２０と、が設けられている。
【００２５】
爪本体１８は、図３に示すように、一対の側壁部１８Ａと、一対の側壁部１８Ａ同士を連結する連結壁部１８Ｂと、連結壁部１８Ｂから立設されたフランジ部１８Ｃと、一対の側壁部１８Ａ同士を連通する先端壁部１８Ｄと、から構成されている。上記一対の側壁部１８Ａは、互いに間隔をあけて爪部１４の挿入方向Ｙ１に対して平行に設けられている。また、一対の側壁部１８Ａの高さ及び一対の側壁部１８Ａ間の距離は、略長方形の孔３４に嵌合する寸法に設けられている。
【００２６】
また、一対の側壁部１８Ａの挿入方向Ｙ１奥側の端部には、その係止突起２０の突出方向とは反対側の端面に挿入方向Ｙ１に向かうに従って高さが低くなるようなテーパ１８Ｆが設けられていて、孔３４内に挿入し易くなっている。上記連結壁部１８Ｂは、一対の側壁部１８Ａの後述する係止突起２０の突出方向とは反対側の端面のうち挿入方向Ｙ１手前側を互いに連結するように設けられている。
【００２７】
上記フランジ部１８Ｃは、一対の側壁部１８Ａ及び連結壁部１８Ｂの挿入方向Ｙ１手前側の端部から立設している。上記先端壁部１８Ｄは、一対の側壁部１８Ａの挿入方向Ｙ１奥側の端面を互いに連結するように設けられている。また、先端壁部１８Ｄは、一対の側壁部１８Ａと直交する平板状に設けられていて、一対の側壁部１８Ａの挿入方向Ｙ１奥側の端面よりも挿入方向Ｙ１奥側に突出するように設けられている。
【００２８】
また、先端壁部１８Ｄは、挿入方向Ｙ１奥側に向かうに従ってその幅が狭くなるように形成されている。さらに、先端壁部１８Ｄは、係止突起２０の突出方向側の面に突起１８Ｇが設けられていて、その突起１８Ｇには挿入方向Ｙ１奥側に向かうに従って厚さが薄くなるようなテーパ１８Ｈが設けられている。このように、先端壁部１８Ｄを挿入方向Ｙ１奥側に向かうに従ってその幅が狭くなるように形成したり、テーパ１８Ｈを設けることにより、爪本体１８を孔３４内に挿入し易くすることができる。
【００２９】
弾性アーム１９は、平板状に設けられていて、挿入方向Ｙ１奥側が上記先端壁部１８Ｄに連なって設けられている。即ち、弾性アーム１９は、挿入方向Ｙ１奥側が爪本体１８の先端壁部１８Ｄに支持されて固定端となり、挿入方向Ｙ１手前側の端部が自由端となり孔３４の内周面に接離する方向に弾性変形自在に設けられている。
【００３０】
また、図２に示すように、弾性アーム１９の係止突起２０とは反対側の面と、この面に対して弾性アーム１９の弾性変形方向に相対する孔３４の内側面との間には、隙間Ｓが設けられている。この隙間Ｓを設けることにより、弾性アーム１９を係止突起２０の突出方向と反対に撓ませて、係止突起２０の係止を解除することができる。
【００３１】
上記弾性アーム１９の挿入方向Ｙ１手前側の端部は、台座１７よりも挿入方向Ｙ１手前側に突出するように設けられているまた、弾性アーム１９の挿入方向Ｙ１手前側の端部は、係止突起２０の突出方向側に斜めに一旦、折り曲げられ、さらに先端壁部１８Ｄと水平になるように折り曲げられた形状に形成されている。これにより、弾性アーム１９による係止突起２０の係止解除操作が行い易くなる。
【００３２】
また、上記４つの爪部１４のうち左上の爪部１４は、係止突起２０が左方向に向かって突出するように台座１７に形成されている。右上の爪部１４は、係止突起２０が右側に向かって突出するように台座１７に取り付けられている。下側２つの爪部１４は、係止突起２０が下側に向かって突出するように台座１７に形成されている。
【００３３】
上記係止突起２０は、弾性アーム１９の弾性変形方向の一方に突出するように設けられている。係止突起２０は、一対の側壁部１８Ａよりも突出するように設けられている。係止突起２０は、挿入方向Ｙ１奥側に向かうに従って突起高さが低くなるようなテーパ２０Ａが設けられている。
【００３４】
上述した構成の爪部１４が挿入される孔３４の正面側の周縁には、爪部１４を挿入する際に後述する弾性アーム１９に設けた係止突起２０と当接して、弾性アーム１９を係止突起２０の突出方向とは反対側に弾性変形させるためのテーパ３４Ａがそれぞれ設けられている。このテーパ３４は、挿入方向Ｙ１に近づくに従って孔３４に近づくように設けられている。左上の孔３４には、正面から見て左側にテーパ３４Ａが設けられている。右上の孔３４には、正面から見て右側にテーパ３４Ａが設けられている。下側の２つの孔３４には、正面から見て下側にテーパ３４Ａが設けられている。
【００３５】
次に、クラスターパネル１２の構成について説明する。クラスターパネル１２は、パネル本体２１と、パネル本体２１から背面に向かって突出する規制部材としての楔部２２と、が設けられている。パネル本体２１には、中央に開口が設けられていて、その開口からメータ本体１３の正面が視認可能になっている。また、パネル本体２１は、上述した爪部１４などの正面を覆って爪部１４が表から見えるのを隠す。
【００３６】
楔部２２は、図４に示すように、後端部２２Ａと先端部２２Ｂとが挿入方向Ｙ１に連なって設けられている。後端部２２Ａは、互いに直交するように交わる一対の平板部２２Ｃ、２２Ｄから構成されている。これら一対の平板部２２Ｃ、２２Ｄの挿入方向Ｙ１奥側の端部はそれぞれ、挿入方向Ｙ１奥側に向かうに従って幅が狭くなるように設けられている。
【００３７】
先端部２２Ｂには、平板部２２Ｃの挿入方向Ｙ１奥側と連なる平板部２２Ｄが設けられている。この平板部２２Ｄもその挿入方向Ｙ１奥側の端部が、挿入方向Ｙ１奥側に向かうに従って幅が狭くなるように設けられている。また、平板部２２Ｄの挿入方向Ｙ１奥側の端部は、挿入方向Ｙ１奥側に向かうに従って厚さが薄くなるように設けられている。さらに、平板部２２Ｄの両面には、挿入方向Ｙ１に沿って突出する突起２２Ｅが設けられている。この突起２２Ｅの挿入方向Ｙ１奥側の端部も挿入方向Ｙ１奥側に向かうに従って高さが低くなるように設けられている。即ち、楔部２２は、挿入方向Ｙ１奥側に向かうに従って幅、高さ共に小さくなるように形成されている。
【００３８】
このような構成の楔部２２の先端部２２Ｂが、図２に示すように、孔３４と弾性アーム１９の係止突起２０とは反対側との間の隙間Ｓに差し込まれると、クラスターパネル１２をメータ本体１３に取り付けることができる。
【００３９】
次に、上述した構成のメータ１１の取り付け手順について説明する。まず、図５に示すように、メータ本体１３の爪部１４をインパネ３の孔３４に差し込む。そうすると、まず係止突起２０が孔３４周縁に設けたテーパ３４Ａに当接する。さらに爪部１４を挿入方向Ｙ１奥側に差し込むと、係止突起２０のテーパ２０Ａと孔３４の周縁に設けたテーパ３４Ａに従って弾性アーム１９が孔３４の内周面から離れる方向に撓み孔３４の内周面に乗り上げる。
【００４０】
さらに、爪部１４を挿入方向Ｙ１奥側に差し込み、係止突起２０が孔３４よりも挿入方向Ｙ１奥側に達すると弾性アーム１９が内周面に近づく方向に復元して、係止突起２０がインパネ３の背面に係止する。これにより、挿入方向Ｙ１手前側に引っ張ってもメータ本体１３がインパネ３から外れない。また、このとき、連結壁部１８Ｂの挿入方向Ｙ１奥側の端面がインパネ３正面の孔３４周縁に当接するため、挿入方向Ｙ１奥側に押しても爪部１４が挿入方向Ｙ１奥側に挿入されることがなく、メータ本体１３の挿入方向Ｙ１が固定される。
【００４１】
次に、図２及び図５に示すように、クラスターパネル１２の楔部２２を孔３４と弾性アーム１９の係止突起２０から離れた側との隙間Ｓに圧入して、クラスターパネル１２をメータ本体１３に取り付ける。これにより、弾性アーム１９の弾性変形が規制され、弾性アーム１９の挿入方向Ｙ１手前側の端部が不意に操作されてしまってもメータ本体１３がインパネ３から外れることがない。
【００４２】
次に、メータ１１の取り外し手順について説明する。取り付けとは逆にクラスターパネル１２の楔部２２を上述した隙間Ｓから抜いて、クラスターパネル１２をメータ本体１３から取り外す。その後、弾性アーム１９の挿入方向Ｙ１手前側の端部を係止突起２０の突出方向と反対側に押して係止突起２０の係止を解除した状態で、爪部１４を孔３４から抜いて、メータ本体１３をインパネ３から取り外す。
【００４３】
上述した実施形態によれば、楔部２２が、孔３４と弾性アーム１９の係止突起２０から離れた側との間の隙間Ｓに挿入されて、弾性アーム１９の弾性変形を規制する。従って、楔部２２を抜かないと弾性アーム１９が弾性変形せず撓まないため、メータ１１のインパネ３からの外れを防止することができる。しかも、楔部２２によって孔３４と弾性アーム１９の係止突起２０から離れた側との間の隙間Ｓが塞がれるため、メータ１１のガタつきを防止して異音を防ぐことができる。
【００４４】
また、上述した実施形態によれば、楔部２２が、挿入方向Ｙ１奥側に向かうに従って幅の狭くなるように設けられているので、より一層、確実にメータ１１の外れ及び異音を防止することができる。
【００４５】
また、上述した実施形態によれば、クラスターパネル１２の背面に楔部２２が突設されているので、クラスターパネル１２をメータ１１に取り付ける際に楔部２２を挿入することができ、取付作業が簡素化できる。
【００４６】
なお、上述した実施形態によれば、楔部２２が、挿入方向Ｙ１奥側に向かうに従って幅の狭くなる楔形状に設けられていたが、本発明はこれに限ったものではない。楔部２２としては、隙間Ｓに挿入して隙間Ｓを塞いで弾性アーム１９が撓まないようにできる形状であればよい。
【００４７】
また、上述した実施形態によれば、楔部２２は、クラスターパネル１２に一体に設けられていたが、本発明はこれに限ったものではない。楔部２２とクラスターパネル１２とを別体に設けてもよい。
【００４８】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４９】
１    メータユニット（表示ユニット）
３    インパネ（被取付部）
１１  メータ（表示装置）
１２  クラスターパネル
１３  メータ本体（表示装置本体）
１４  爪部（取付部）
１８  爪本体（取付部本体）
１９  弾性アーム
２０  係止突起
２２  楔部（規制部材）
【図１】
0005536553.tif 000002
【図２】
0005536553.tif 000003
【図３】
0005536553.tif 000004
【図４】
0005536553.tif 000005
【図５】
0005536553.tif 000006
【図６】
0005536553.tif 000007
【図７】
0005536553.tif 000008